(57)【要約】【課題】金属製のベアリングを廃しても、回転体の回転を良好に維持することができるとともに、シャフト部材に対する回転体のガタを抑制することができる押圧器具を提供する。【解決手段】略球状の回転部材から成るとともに、表面が人体に押圧され得る回転体１と、把持可能な把持部２の先端に形成されたシャフト部３と、回転体１とシャフト部３との間に介装され、シャフト部３に対して当該回転体１を回転自在に支持する連結部材４とを有し、把持部２を把持しつつ回転体１の表面を人体に押圧し得る押圧器具において、連結部材４は、回転体１に対してシャフト部３の軸方向に常時付勢力を付与する付勢手段としてのコイルスプリング８を具備したものである。【選択図】図２
2017225815.tif 000002
【特許請求の範囲】
【請求項１】
略球状の回転部材から成るとともに、表面が人体に押圧され得る回転体と、
把持可能な把持部の先端に形成されたシャフト部と、
前記回転体とシャフト部との間に介装され、前記シャフト部に対して当該回転体を回転自在に支持する連結部材と、
を有し、前記把持部を把持しつつ前記回転体の表面を人体に押圧し得る押圧器具において、
前記連結部材は、前記回転体に対して前記シャフト部の軸方向に常時付勢力を付与する付勢手段を具備することを特徴とする押圧器具。
【請求項２】
前記付勢手段は、弾性部材から成ることを特徴とする請求項１記載の押圧器具。
【請求項３】
前記弾性部材は、前記シャフト部に挿通されたコイルスプリングから成ることを特徴とする請求項２記載の押圧器具。
【請求項４】
前記連結部材は、前記付勢手段の付勢力によって前記シャフト部の軸方向に変位可能なカラーを具備し、当該付勢手段の付勢力により前記連結部材を前記シャフト部に押圧させ得ることを特徴とする請求項１〜３の何れか１つに記載の押圧器具。
【請求項５】
前記シャフト部に対して前記連結部材及び回転体が回転し得るとともに、前記付勢手段による付勢力は、当該連結部材及び回転体の重量に抗し得る値に設定されたことを特徴とする請求項１〜４の何れか１つに記載の押圧器具。
【発明の詳細な説明】
【技術分野】
【０００１】
本発明は、美容等を目的として、回転体の表面を人体に押圧し得る押圧器具に関するものである。
【背景技術】
【０００２】
近時において、美容を目的とした美容用品が種々提供されるに至っており、その一つとして例えば略球状の回転部材から成る回転体と、把持可能とされるとともに回転体を回転自在に支持するシャフト部が先端に形成された把持部とを具備した押圧器具が提案されている。かかる押圧器具は、例えば顔面の皮膚に回転体の表面を押圧させつつ回転させ、所望部位に繰り返し押圧力を付与させるものとされている。
【０００３】
さらに、従来の押圧器具として、例えば特許文献１にて開示されているように、回転体とシャフト部との間に介装されて当該シャフト部に対して回転体を回転自在に支持する連結部材を具備したものが挙げられる。かかる従来の押圧器具は、その連結部材に金属製のベアリング（ボールベアリングやニードルベアリング等）が形成されており、シャフト部に対して回転体を円滑に回転させ得るよう構成されていた。
【先行技術文献】
【特許文献】
【０００４】
【特許文献１】特開２０１３−２３６６５０号公報
【発明の概要】
【発明が解決しようとする課題】
【０００５】
しかしながら、上記従来の押圧器具においては、内部に金属製のベアリングが形成されていたため、例えば浴槽や洗面所等で使用した場合、金属製のベアリングが水に浸ってしまい、錆等が発生して円滑な回転を阻害してしまう虞があった。そこで、金属製のベアリングを用いないでシャフト部に対して回転体を回転させる構造が求められていたが、その場合、シャフト部の軸方向に対して回転体との間に回転のためのクリアランスを形成する必要がある。
【０００６】
しかるに、回転体及びシャフト部には製造上の寸法公差があることから、回転体をシャフト部に組み付ける際にばらつきが生じてしまい、クリアランスが過大となってしまうと必要以上にガタが生じてしまうとともに、反対にクリアランスがなくなってしまうと回転体を良好に回転させることができなくなってしまうという問題があった。なお、錆が生じにくい金属製のベアリングを用いることも考えられるが、その場合、高価なベアリングが必要とされ、製造コストが嵩んでしまうという問題がある。
【０００７】
本発明は、このような事情に鑑みてなされたもので、金属製のベアリングを廃しても、回転体の回転を良好に維持することができるとともに、シャフト部材に対する回転体のガタを抑制することができる押圧器具を提供することにある。
【課題を解決するための手段】
【０００８】
請求項１記載の発明は、略球状の回転部材から成るとともに、表面が人体に押圧され得る回転体と、把持可能な把持部の先端に形成されたシャフト部と、前記回転体とシャフト部との間に介装され、前記シャフト部に対して当該回転体を回転自在に支持する連結部材とを有し、前記把持部を把持しつつ前記回転体の表面を人体に押圧し得る押圧器具において、前記連結部材は、前記回転体に対して前記シャフト部の軸方向に常時付勢力を付与する付勢手段を具備することを特徴とする。
【０００９】
請求項２記載の発明は、請求項１記載の押圧器具において、前記付勢手段は、弾性部材から成ることを特徴とする。
【００１０】
請求項３記載の発明は、請求項２記載の押圧器具において、前記弾性部材は、前記シャフト部に挿通されたコイルスプリングから成ることを特徴とする。
【００１１】
請求項４記載の発明は、請求項１〜３の何れか１つに記載の押圧器具において、前記連結部材は、前記付勢手段の付勢力によって前記シャフト部の軸方向に変位可能なカラーを具備し、当該付勢手段の付勢力により前記連結部材を前記シャフト部に押圧させ得ることを特徴とする。
【００１２】
請求項５記載の発明は、請求項１〜４の何れか１つに記載の押圧器具において、前記シャフト部に対して前記連結部材及び回転体が回転し得るとともに、前記付勢手段による付勢力は、当該連結部材及び回転体の重量に抗し得る値に設定されたことを特徴とする。
【発明の効果】
【００１３】
請求項１の発明によれば、連結部材は、回転体に対してシャフト部の軸方向に常時付勢力を付与する付勢手段を具備するので、金属製のベアリングを廃しても、回転体の回転を良好に維持することができるとともに、シャフト部に対する回転体のガタを抑制することができる。
【００１４】
請求項２の発明によれば、付勢手段は、弾性部材から成るので、回転体に対して所望の付勢力を確実に付与することができる。
【００１５】
請求項３の発明によれば、弾性部材は、シャフト部に挿通されたコイルスプリングから成るので、弾性部材をシャフト部に容易に取り付けることができるとともに、回転体に対して所望の付勢力をより確実に付与することができる。
【００１６】
請求項４の発明によれば、連結部材は、付勢手段の付勢力によってシャフト部の軸方向に変位可能なカラーを具備し、当該付勢手段の付勢力により連結部材をシャフト部に押圧させ得るので、回転体に対して付勢手段の付勢力を安定して付与することができる。
【００１７】
請求項５の発明によれば、シャフト部に対して連結部材及び回転体が回転し得るとともに、付勢手段による付勢力は、当該連結部材及び回転体の重量に抗し得る値に設定されたので、回転体が下方に向かう方向に把持した場合であっても、回転体に対して付与される付勢手段の付勢力を維持することができる。
【図面の簡単な説明】
【００１８】
【図１】本発明の第１の実施形態に係る押圧器具を示す正面図及び側面図
【図２】図１におけるＩＩ−ＩＩ線断面図
【図３】同押圧器具における回転体及びシャフト部を示す正面図
【図４】図３におけるＩＶ−ＩＶ線断面図
【図５】同押圧器具の先端部側の分解図
【図６】図５におけるＶＩ−ＶＩ線断面図
【図７】本発明の第２の実施形態に係る押圧器具における回転体及びシャフト部を示す正面図
【図８】図７におけるＶＩＩＩ−ＶＩＩＩ線断面図
【図９】同押圧器具の先端部側の分解図
【図１０】図９におけるＸ−Ｘ線断面図
【図１１】本発明の実施形態に係る押圧器具に適用される他の形態のカラーを示す平面図及び側面図
【図１２】本発明の他の実施形態（回転体を２つ具備）に係る押圧器具を示す斜視図
【図１３】同押圧器具を示す側面図及び正面図
【図１４】図１３におけるＡ−Ａ線断面図
【図１５】本発明の更に他の実施形態（回転体を４つ具備）に係る押圧器具を示す斜視図
【図１６】同押圧器具を示す側面図及び正面図
【図１７】図１６におけるＢ−Ｂ線断面図
【発明を実施するための形態】
【００１９】
以下、本発明の実施形態について図面を参照しながら具体的に説明する。
第１の実施形態に係る押圧器具は、美容を目的として顔面の皮膚を押圧しつつ微弱電流を付与可能とされたもので、図１〜６に示すように、回転体１と、先端にシャフト部３が形成された把持部２と、係止爪４ａが形成された連結部材４と、カラー５と、電源部７と、コイルスプリング８（付勢手段）とから主に構成されている。
【００２０】
回転体１は、略球状の回転部材から成るとともに、表面が人体（例えば顔面の肌）に押圧され得るよう構成されている。本実施形態に係る回転体１は、少なくともその表面が通電可能な導電性材料で構成されており、電源部７から供給される電力にて微弱電流が流れ得るようになっている。また、回転体１は、図４、６に示すように、その下部から上方に向かって延びる挿通凹部Ａが形成されており、当該挿通凹部Ａにシャフト部３の先端側が挿通して連結可能とされている。
【００２１】
なお、挿通凹部Ａの所定位置には、連結部材４の係止爪４ａが係止可能な係止部１ａが形成されている。把持部２は、回転体１を回転自在に支持するシャフト部３が先端に形成されるとともに、片手で握って把持可能な棒状部から成る。かかる把持部２には、太陽光を受けて発電し得る太陽光発電器等の電源部７が内部に収容されており、上述のように、回転体１に微弱電流等を供給可能とされている。
【００２２】
シャフト部３は、把持部２の先端に取り付けられる金属製のシャフト状部材から成り、図４〜６に示すように、周方向に亘ってそれぞれ形成された段形状３ａ〜３ｄを有して構成されている。そして、シャフト部３の先端側に連結部材４を介して回転体１が組み付けられると、図４に示すように、段形状３ａに連結部材４の下面４ｂが当接しつつ段形状３ｂにＣリング６の開口縁部６ａが当接するようになっている。
【００２３】
連結部材４は、回転体１とシャフト部３との間に介装され、シャフト部３に対して当該回転体１を回転自在に支持するためのもので、本実施形態においては、シャフト部３の先端側に取り付けられて回転体１と把持部２とを連結するための樹脂製の筒状部材から成る。かかる連結部材４は、図４〜６に示すように、その中央部においてシャフト部３を挿通可能な挿通孔４ｃが形成されるとともに、側面に複数の係止爪４ａが形成されている。これら係止爪４ａは、連結部材４と一体成形された部位から成り、当該連結部材４の側方に所定寸法突出するとともに、内側に向かって撓み得る爪状とされている。
【００２４】
すなわち、係止爪４ａは、通常状態において、連結部材４の側面から所定寸法突出した突出状態とされており、内側に向かって負荷が付与されると、内側に撓んで当該側面に没入した没入状態とされるのである。そして、連結部材４がシャフト部３の先端側に取り付けられた後、回転体１の挿通凹部Ａに挿通される過程において、係止爪４ａは、当該挿通凹部Ａの内周壁面で内側に押圧されて没入状態とされるとともに、係止部１ａの形成位置に達すると、突出状態に戻って当該係止部１ａと係止し得るようになっている。
【００２５】
なお、カラー５は、その中央部においてシャフト部３を挿通可能な挿通孔５ａが形成されており、シャフト部３の先端側が連結部材４の挿通孔４ｃ及びカラー５の挿通孔５ａを挿通して取り付けられるとともに、更に先端側にＣリング６が取り付けられており、シャフト部３から連結部材４及びカラー５が抜け落ちてしまうのを防止し得るよう構成されている。かかるカラー５は、連結部材４に形成された取付凹部ｆに嵌合することにより、当該連結部材４の軸方向に変位可能に取り付けられている。
【００２６】
しかして、シャフト部３の先端側に連結部材４（カラー５が取り付けられた状態）を取り付け、Ｃリング６にて抜け止めを図った後、回転体１の挿通凹部Ａに挿通して連結部材４の係止爪４ａを係止部１ａに係止させることにより組み付けが行われる。これにより、回転体１の表面を人体の肌に押圧しつつ移動させると、連結部材４がシャフト部３を中心として回転するので、その部位においてマッサージ効果を得ることができ、美容によい影響が及ぼされるのを期待することができる。
【００２７】
一方、把持部２の内部には、電気的に接続された板状の導電性部材Ｅ１及び環状の導電性部材Ｅ２が配設されており、板状の導電性部材Ｅ１の一端が電源部７のプラス端子に接続されるとともに、環状の導電性部材Ｅ２がシャフト部３の基端に形成された細径部（段形状）３ｄに接触して組み付けられている。また、電源部７のマイナス端子は、把持部２の表面に形成された導電性部材Ｅ３に接続されている。さらに、本実施形態に係る連結部材４は、例えば導電性樹脂等の導電性材料から成り、シャフト部３と電気的に接触して組み付けられているとともに、シャフト部３と回転体１との間には絶縁性の部材９が取り付けられている。
【００２８】
これにより、把持部２を把持して導電性部材Ｅ３に接触した状態で人体の所望部位（顔面等）に回転体１を接触させて転動させると、電源部７からの電流（微弱電流）が導電性部材Ｅ１、Ｅ２、シャフト部３及び連結部材４を介して回転体１まで流れるので、回転体１によるマッサージ効果に加え、微弱電流を表皮に付与することによる電気的効果を期待することができる。
【００２９】
ここで、本実施形態に係る連結部材４は、内部に付勢手段としてのコイルスプリング８を圧縮状態にて収容するとともに、そのコイルスプリング８（付勢手段）の付勢力によってシャフト部３の軸方向（図４中上方）に変位可能なカラー５を具備している。すなわち、コイルスプリング８は、その一端が連結部材４に当接しつつ他端がカラー５の下面５ｂに当接して収容されるとともに、所定寸法圧縮されており、コイルスプリング８の付勢力がカラー５及びＣリング６に付与されるようになっている。
【００３０】
そして、コイルスプリング８の付勢力が付与されたカラー５は、Ｃリング６と共に上方に変位しようとし、当該Ｃリング６の開口縁部６ａをシャフト部３の段形状３ｂに押圧させるとともに、その反力によって連結部材４の下面４ｂがシャフト部３の段形状３ａに押圧される。このように、本実施形態においては、コイルスプリング８を具備しているので、カラー５及びＣリング６を介して、回転体１に対してシャフト部３の軸方向に常時付勢力を付与することができるのである。
【００３１】
すなわち、本実施形態に係る連結部材４は、コイルスプリング８（付勢手段）の付勢力によってシャフト部３の軸方向に変位可能なカラー５を具備し、当該コイルスプリング８の付勢力により連結部材４をシャフト部３に押圧させ得るように構成されているので、コイルスプリング８の付勢力により、カラー５を変位させてガタを吸収しつつ連結部材４をシャフト部３に押圧させることができ、当該連結部材４とシャフト部３との間の電気的接触を確実に維持することができるのである。
【００３２】
コイルスプリング８にて付与される付勢力は、回転体１及び連結部材４とシャフト部３との間のガタを吸収しつつシャフト部３に対する回転体１及び連結部材４の回転を円滑に維持する程度に設定されるのが好ましく、特に本実施形態においては、連結部材４及び回転体１の重量（回転部総重量）に抗し得る値（バネ荷重）に設定されている。例えば、コイルスプリング８のバネ荷重を連結部材４及び回転体１の重量（回転部総重量）の１．１〜３．０倍程度に設定するのが好ましい。
【００３３】
コイルスプリング８として、線径ｄ＝０．５ｍｍ、有効巻数Ｎａ＝４．５、線中心径＝φ６、弾性係数Ｇ＝６．８５×１０４、自由長５ｍｍのものを使用する場合、ｋ＝Ｇ・ｄ４／８・Ｎａ・Ｄ３＝６．８５×１０４×０．５４／８×４．５×６３（Ｎ／ｍｍ）＝５６（ｇｆ／ｍｍ）となる。そして、カラー５及びＣリング６の変位変化によるバネ荷重の変化（Δｆ）は、変位変化前のバネ荷重をｆ１、変位をΔＸ１とし、変位変化後のバネ加重をｆ２、変位をΔＸ２とすると、Δｆ＝ｆ２−ｆ１＝ｋ（ΔＸ２−ΔＸ１）となる。
【００３４】
したがって、変位変化によるバネ荷重の変化率（Δｆ／ｆ１）＝ｋ（ΔＸ２−ΔＸ１）／（ｋ・ΔＸ１）＝（ΔＸ２−ΔＸ１）／ΔＸ１となり、ΔＸ１＝２、ΔＸ２−ΔＸ１＝０．１とした場合、０．１／２＝５％となる。これにより、コイルスプリング８によって軸方向に付与されるバネ荷重ｆ１（付勢力）＝ｋ・ΔＸ１＝−５６×２＝１１２（ｇｆ）となり、連結部材４及び回転体１の重量（回転部総重量）の２．６倍程度に設定されている。
【００３５】
次に、本発明に係る第２の実施形態の押圧器具について説明する。
本実施形態に係る押圧器具は、第１の実施形態と同様、美容を目的として顔面の皮膚を押圧しつつ微弱電流を付与可能とされたもので、図７〜１０に示すように、回転体１と、先端にシャフト部３が形成された把持部２（図１、２参照）と、係止爪４ａが形成された連結部材４と、カラー５と、電源部７と、コイルスプリング８（付勢手段）とから主に構成されている。なお、第１の実施形態と同様の構成要素には同一の符号を付し、それらの詳細な説明を省略する。
【００３６】
本実施形態に係る連結部材４は、内部に付勢手段としてのコイルスプリング８を圧縮状態にて収容するとともに、そのコイルスプリング８（付勢手段）の付勢力によってシャフト部３の軸方向（図８中下方）に変位可能なカラー５’を具備している。すなわち、コイルスプリング８は、その一端が連結部材４に当接しつつ他端がカラー５’の上面５’ｂに当接して収容されるとともに、所定寸法圧縮されており、コイルスプリング８の付勢力がカラー５’及びＣリング６に付与されるようになっている。
【００３７】
そして、コイルスプリング８の付勢力が付与されたカラー５’は、下方に変位しようとし、当該カラー５’の下面をシャフト部３ａに押圧させるとともに、その反力によってＣリング６の開口縁部６ａがシャフト部３の段形状３ｂに押圧される。このように、本実施形態においては、コイルスプリング８を具備しているので、カラー５’及びＣリング６を介して、回転体１に対してシャフト部３の軸方向に常時付勢力を付与することができるのである。
【００３８】
コイルスプリング８にて付与される付勢力は、回転体１及び連結部材４とシャフト部３との間のガタを吸収しつつシャフト部３に対する回転体１及び連結部材４の回転を円滑に維持する程度に設定されるのが好ましく、特に本実施形態においては、連結部材４及び回転体１の重量（回転部総重量）に抗し得る値（バネ荷重）に設定されている。例えば、コイルスプリング８のバネ荷重を連結部材４及び回転体１の重量（回転部総重量）の１．５〜２倍程度に設定するのが好ましい。
【００３９】
上記第１、２の実施形態によれば、連結部材４は、回転体１に対してシャフト部３の軸方向に常時付勢力を付与するコイルスプリング８（付勢手段）を具備するので、金属製のベアリングを廃しても、回転体１の回転を良好に維持することができるとともに、シャフト部３に対する回転体１のガタを抑制することができる。特に、付勢手段は、弾性部材から成るので、回転体に対して所望の付勢力を確実に付与することができ、更には、弾性部材が、シャフト部３に挿通されたコイルスプリング８から成るので、コイルスプリング８（弾性部材）をシャフト部３に容易に取り付けることができる（すなわち、シャフト部３にコイルスプリング８を挿通させることにより容易に位置決めして取り付け可能）とともに、回転体１に対して所望の付勢力をより確実に付与することができる。
【００４０】
また、本実施形態に係る連結部材４は、コイルスプリング８（付勢手段）の付勢力によってシャフト部３の軸方向に変位可能なカラー（５、５’）を具備し、当該カラー（５、５’）を介してコイルスプリング８（付勢手段）の付勢力が回転体１又はシャフト部３に付与されるので、回転体１に対してコイルスプリング８（付勢手段）の付勢力を安定して付与することができる。
【００４１】
さらに、本実施形態によれば、シャフト部３に対して連結部材４及び回転体１が回転し得るとともに、コイルスプリング８（付勢手段）による付勢力（バネ荷重）は、当該連結部材４及び回転体１の重量に抗し得る値に設定されたので、回転体１が下方に向かう方向に把持した場合であっても、回転体１に対して付与されるコイルスプリング８（付勢手段）の付勢力を維持することができる。
【００４２】
加えて、本実施形態においては、連結部材４内にコイルスプリング８（付勢手段）が収容（格納）されているので、コイルスプリング８に対する外部からの物理的接触を抑制することができ、バネとしての性能を安定させることができる。また、本実施形態によれば、シャフト部３に対する回転体１のガタを抑制することができるので、回転体１を顔などに押圧して回転させた際、回転体１のガタに起因する不必要な衝撃が付与されてしまうのを防止することができ、不快感を生じさせてしまうのを回避することができる。
【００４３】
さらに、本実施形態に係る回転体１は、略球状とされているため、様々な角度で使用されることが予想されることから、回転体１を顔等の表皮に押圧して回転させる際、連結部材４が回転方向以外にも負荷がかかって摩耗してしまう虞がある。これに対し、本実施形態によれば、連結部材４がコイルスプリング８の付勢力により予圧されているので、摩耗によって生じた隙間を埋めることができ、ガタが生じてしまうのを防止することができる。
【００４４】
しかるに、第１実施形態及び第２実施形態におけるカラー５、５’に代えて、図１１に示すようなカラー１０としてもよい。かかるカラー１０は、中央にシャフト部３を挿通し得る挿通孔１０ａが形成された筒状部材から成るとともに、その側面には、側方に突出した突出部Ｓが形成されている。この場合、連結部材４の取付凹部ｆには、カラー１０における突出部Ｓの輪郭形状に倣った溝部ｆａが形成されており、カラー１０を取付凹部ｆに取り付けると、突出部Ｓが溝部ｆａに合致して嵌合し得るとともに、カラー１０全体が連結部材４の軸方向に変位可能とされている。
【００４５】
このようなカラー１０によれば、連結部材４に取り付けられてコイルスプリング８の付勢力を受け得るとともに、突出部Ｓによる嵌合によって、回転体１が回転した場合であっても、連結部材４に対する相対的な回転を防止することができる。これにより、回転体１を回転させた際、連結部材４に対してカラー１０が相対的に回転してしまい、コイルスプリング８が変形して特性に影響が及ぼされてしまうのを回避することができる。
【００４６】
すなわち、連結部材４に対してカラー１０が回転してしまうと、その回転力がコイルスプリング８に伝わって捩れが生じてしまい、バネの性能が設定したものからずれてしまう虞があるので、本実施形態の如くカラー１０を連結部材４に嵌合して回転を防止することにより、コイルスプリング８に対して回転力が伝わってしまうのを回避し、バネの性能を安定させることができるのである。特に、本実施形態に係るカラー１０によれば、突出部Ｓが溝部ｆａに嵌合しているので、取付凹部ｆ内において軸方向に変位する際、連結部材４に対して傾斜してしまうのを抑制でき、良好な変位を行わせることができる。
【００４７】
なお、図１１においては、カラー１０に突出部Ｓが形成されるとともに連結部材４に溝部ｆａが形成されているが、連結部材４に突出部Ｓを形成し、カラー１０に当該突出部Ｓを嵌合し得る溝部ｆａを形成するようにしてもよい。また、突出部Ｓ及び溝部ｆａは、本実施形態の如くカラー１０及び連結部材４にそれぞれ２つずつ形成されたものの他、１つずつ形成されたもの、或いは３つ以上形成されたものとしてもよい。
【００４８】
さらに、第１実施形態及び第２実施形態においては、回転体１を１つ有するものとされているが、図１２〜１４に示すように、把持部２に対して２つの回転体１を有するものとしてもよい。この場合であっても、上記実施形態と同様、略球状の回転部材から成るとともに、表面が人体に押圧され得る２つの回転体１と、これら回転体１に対応して配設され、把持部２の先端に形成されたシャフト部３と、これらシャフト部３に対応して配設され、シャフト部３に対して回転体１を回転自在に支持する連結部材４とを有し、各連結部材４は、回転体１に対してシャフト部３の軸方向に常時付勢力を付与するコイルスプリング８（付勢手段）をそれぞれ具備するものとされている。
【００４９】
かかる構成によれば、金属製のベアリングを廃しても、それぞれの回転体１の回転を良好に維持することができるとともに、シャフト部３に対する各回転体１のガタを抑制することができる。したがって、人体に対して２つの回転体１を同時に押し付けて回転させた際、２つの回転体１において回転差が生じてしまうのを抑制することができ、マッサージ効果を一層向上させることができる。
【００５０】
またさらに、図１５〜１７に示すように、把持部２に対して４つの回転体１を有するものとしてもよい。この場合であっても、上記実施形態と同様、略球状の回転部材から成るとともに、表面が人体に押圧され得る４つの回転体１と、これら回転体１に対応して配設され、把持部２の先端に形成されたシャフト部３と、これらシャフト部３に対応して配設され、シャフト部３に対して回転体１を回転自在に支持する連結部材４とを有し、各連結部材４は、回転体１に対してシャフト部３の軸方向に常時付勢力を付与するコイルスプリング８（付勢手段）をそれぞれ具備するものとされている。
【００５１】
かかる構成によれば、金属製のベアリングを廃しても、それぞれの回転体１の回転を良好に維持することができるとともに、シャフト部３に対する各回転体１のガタを抑制することができる。したがって、人体に対して４つの回転体１を同時に押し付けて回転させた際、４つの回転体１において回転差が生じてしまうのを抑制することができ、マッサージ効果を一層向上させることができる。
【００５２】
以上、本実施形態について説明したが、本発明はこれに限定されるものではなく、例えば電源を具備せず回転体１による押圧効果のみ期待するものとしてもよい。また、本実施形態に係るコイルスプリング８は、回転体１に対してシャフト部３の軸方向に常時付勢力を付与する付勢手段であれば、他の形態（トーションスプリングや板バネ等の異なる種類のスプリングや樹脂等の弾性体など）としてもよい。さらに、適用される付勢手段として、バネ等の付勢手段の他、ゴム材や樹脂材等の弾性部材を用いることができる。
【００５３】
またさらに、本実施形態においては、連結部材４に係止爪４ａが形成され、回転体１に形成された係止部１ａに当該係止爪４ａを係止して組み付けているが、回転体１に係止爪を形成し、連結部材４に形成された係止部に当該係止爪を係止して組み付けるようにしてもよい。また、本実施形態に係る回転体１は、略球状の回転部材とされているが、楕円形状の回転部材から成るもの、或いはくびれを有した回転部材等としてもよい。
【産業上の利用可能性】
【００５４】
回転体に対してシャフト部の軸方向に常時付勢力を付与する付勢手段を具備する押圧器具であれば、外観形状が異なるもの或いは他の機能は付加されたもの等にも適用することができる。
【符号の説明】
【００５５】
１  回転体
１ａ  係止部
２  把持部
３  シャフト部
３ａ〜３ｄ  段形状
４  連結部材
４ａ  係止爪
４ｂ  下面
４ｃ  挿通孔
５  カラー
５ａ  挿通孔
６  Ｃリング
６ａ  開口縁部
７  電源部
８  コイルスプリング（付勢手段）
９  絶縁部材
１０  カラー
【図１】
2017225815.tif 000003
【図２】
2017225815.tif 000004
【図３】
2017225815.tif 000005
【図４】
2017225815.tif 000006
【図５】
2017225815.tif 000007
【図６】
2017225815.tif 000008
【図７】
2017225815.tif 000009
【図８】
2017225815.tif 000010
【図９】
2017225815.tif 000011
【図１０】
2017225815.tif 000012
【図１１】
2017225815.tif 000013
【図１２】
2017225815.tif 000014
【図１３】
2017225815.tif 000015
【図１４】
2017225815.tif 000016
【図１５】
2017225815.tif 000017
【図１６】
2017225815.tif 000018
【図１７】
2017225815.tif 000019